(57)【要約】【課題】      制動部材に移動部材の圧接時に内側に弾性変形を許容する空所を形成して誤復帰抑制力の調整を容易としながら支持部材の不要な反転を防止した魚釣用スピニングリ−ルを提供することである。【解決手段】  リ−ル本体１の前側の筒部１ａの鍔部１ｃ側基部に周方向の溝からなる装着部１ｄが形成され、合成ゴムからなる弾性を有する制動部材５が嵌められる。  制動部材５の制動部５ａの断面形状は、溝からなる装着部１ｄに嵌まった一辺５ｄと一辺５ｄから起立した円弧部５ｅと円弧部５ｅから他方に延びた他辺５ｆが一体で内側に空所Ａを断面略Ｕ字形に形成し、空所Ａは移動部材６の圧接時に円弧部５ｅが内側への弾性変形を許容する空間部としている。【選択図】        図３
2008072972.tif 000002
【特許請求の範囲】
【請求項１】
ハンドルの回転操作に連動回転するロ−タに、釣糸案内部を有する支持部材を釣糸巻き取り位置と釣糸放出位置とに反転自在に支持すると共に、該支持部材の釣糸巻き取り位置から釣糸放出位置への操作に連動して移動する移動部材の端部を、リ−ル本体の前部に設けた制動部材の外周面に圧接可能とした魚釣用スピニングリ−ルにおいて、前記制動部材に前記移動部材の圧接時に内側への弾性変形を許容する空所を形成したことを特徴とする魚釣用スピニングリ−ル。
【発明の詳細な説明】
【技術分野】
【０００１】
本発明は、ハンドルの回転操作に連動回転するロ−タに、釣糸案内部を有する支持部材を釣糸巻き取り位置と釣糸放出位置に反転自在に装着してなる魚釣用スピニングリ−ルに関する。
【背景技術】
【０００２】
魚釣用スピニングリ−ルは、一般的にロ−タに設けた支持部材を付勢機構によって釣糸巻き取り位置と釣糸放出位置に振り分け付勢保持されている。
実釣時において、仕掛けをポイントへ放出する場合には、リ−ルを装着した釣竿を勢いよく振り下ろす操作を行うが、この時の勢いや不用なハンドルの回転の影響でロ−タが回転してしまい、釣糸放出位置にある支持部材が釣糸巻き取り位置に反転してしまう問題があった。
そこで、支持部材の釣糸巻き取り位置から釣糸放出位置への操作に連動する移動部材の端部をリ−ル本体の前部に設けた制動部材の外周面に圧接して、釣糸放出操作時における支持部材の釣糸巻き取り位置への誤復帰を防止するようにしたものが、特許文献１及び特許文献２で知られている。
【特許文献１】特開２００１−２９９１６２号公報
【特許文献２】特開２００４−２９００４９号公報
【発明の開示】
【発明が解決しようとする課題】
【０００３】
解決しようとする問題点は、このような制動部材の外周に移動部材を圧接する場合、支持部材のブレ−キ力（釣糸放出操作時における支持部材の誤復帰抑制力）は、移動部材の制動部材への圧接量（移動部材の食い込み量）や制動部材の硬度、摩擦係数等で決まってしまうので、微妙な調整（支持部材のブレ−キ力（誤復帰抑制力）がロ−タの回転による自動反転復帰操作に与える影響度、釣法や魚釣用スピニングリールのサイズ別のブレ−キ力の設定等）が難しいことである。
又、支持部材に連動する移動部材の制動部材に対する摩擦抵抗力（引っ掛かり具合いによる抵抗力）も調整し難いことである。
【０００４】
本発明の目的は前記欠点に鑑み、制動部材に移動部材の圧接時に内側に弾性変形を許容する空所を形成して誤復帰抑制力の調整を容易としながら、支持部材の不要な反転を防止した魚釣用スピニングリ−ルを提供することである。
【課題を解決するための手段】
【０００５】
本発明の請求項１は、ハンドルの回転操作に連動回転するロ−タに、釣糸案内部を有する支持部材を釣糸巻き取り位置と釣糸放出位置とに反転自在に支持すると共に、該支持部材の釣糸巻き取り位置から釣糸放出位置への操作に連動して移動する移動部材の端部を、リ−ル本体の前部に設けた制動部材の外周面に圧接可能とした魚釣用スピニングリ−ルにおいて、前記制動部材に前記移動部材の圧接時に内側への弾性変形を許容する空所を形成したことを要旨とするものである。
【発明の効果】
【０００６】
本発明の請求項１によれば、ハンドルの回転操作に連動回転するロ−タに、釣糸案内部を有する支持部材を釣糸巻き取り位置と釣糸放出位置とに反転自在に支持すると共に、該支持部材の釣糸巻き取り位置から釣糸放出位置への操作に連動して移動する移動部材の端部を、リ−ル本体の前部に設けた制動部材の外周面に圧接可能とし、制動部材に移動部材の圧接時に内側への弾性変形を許容する空所を形成したので、空所の大きさ、形状、位置、数等を変更することにより、移動部材の食い込み、引っ掛かり具合いによる摩擦抵抗力の強弱調節や微調整が容易に行える。
従って、ロ−タの回転による自動反転復帰操作に与える影響度、釣法や魚釣用スピニングリールのサイズ別によるブレ−キ力、等を配慮したブレ−キ力の設定を幅広く容易に行える。
【発明を実施するための最良の形態】
【０００７】
リ−ル本体１の前側の筒部１ａの鍔部１ｃ側基部に周方向の溝からなる装着部１ｄが形成され、合成ゴムからなる弾性を有する制動部材５が嵌められる。
制動部材５の制動部５ａの断面形状は、溝からなる装着部１ｄに嵌まった一辺５ｄと一辺５ｄから起立した円弧部５ｅと円弧部５ｅから他方に延びた他辺５ｆが一体で内側に空所Ａを断面略Ｕ字形に形成し、空所Ａは移動部材６の圧接時に円弧部５ｅが内側への弾性変形を許容する空間部としている。
【実施例１】
【０００８】
以下、図示の実施例によって本発明を説明すると、図１から図１１は第１実施例で、図１は制動部材が移動部材で押圧された魚釣用スピニングリ−ルの要部断面平面図、図２は図１の要部拡大断面平面図、図３は移動部材による押圧が解除された制動部材を示す要部拡大断面平面図、図４は駆動歯車の拡大断面平面図、図５は一方の支持部材が上側で釣糸巻き取り位置の平面図、図６は他方の支持部材が上側で釣糸巻き取り位置の平面図、図７は一方の支持部材が上側で釣糸放出位置の平面図、図８は他方の支持部材が上側で釣糸放出位置の平面図、図９は支持部材が釣糸放出位置の魚釣用スピニングリ−ルの正面図、図１０はロ−タが図９の位置のリ−ル本体の要部断面正面図、図１１は図１０の要部拡大正面図である。
【０００９】
魚釣用スピニングリ−ルは、リ−ル本体１と蓋板２で保持された軸受１０、１１で駆動歯車３の駆動軸３′が軸承されてハンドル１２で駆動回転される。
駆動歯車３の内周に形成された雌ネジ部３ａは、駆動軸３′の外周に形成された雄ネジ部３ｂに図４で下側から上方に向けて螺合され、駆動軸３′の外周に一体形成された鍔部３ｃに度当りされて一体化されている。
リ−ル本体１の前部の円形の筒部１ａ内の軸受１３で回転軸筒１４の前側が回転自在に支持され、リ−ル本体１内の軸受部１ｂに回転軸筒１４の基端が嵌合支持され、基端の前側にピニオン１４ａが一体形成されて駆動歯車３に噛合されている。
回転軸筒１４の前端にロ−タ４の中心筒部４ａが回り止め嵌合されてナット１５で取り付けられている。
回転軸筒１４の中心透孔には前側にスプ−ル１６が取り付けられたスプ−ル軸１７が前後往復動可能に摺動自在に挿入されている。
【００１０】
リ−ル本体１と蓋板２の前側には合体して円板となる鍔部１ｃ、２ａが形成されている。
鍔部２ａの前面には図１０、図１１のように、傾斜面ａを有する復帰用カム２ｂが形成されている。
筒部１ａの鍔部１ｃ側基部に図２、図３、図１０、図１１のように、周方向の溝からなる装着部１ｄが形成され、装着部１ｄの一端には鈎状の切欠きからなる固定部１ｅが形成されると共に切欠き面にネジ孔が形成されてビス１８が螺合される。
溝からなる装着部１ｄの他端の蓋板２側には、鈎孔からなる掛止部１ｆが形成されている。
鈎孔からなる掛止部１ｆに対向する蓋板２の鍔部２ａの前側には、掛止部１ｆの一部を塞ぐ突片２ｃが形成されている。
【００１１】
周方向の溝からなる装着部１ｄには、例えばスチレン・ブタジエン・ゴム、アクリロニトリル・ブタジエン・ゴム、ブタジエン・ゴム、イソプレン・ゴム、クロロプレン・ゴム、シリコン・ゴム、ウレタン・ゴム等の合成ゴムからなる弾性を有する制動部材５が嵌められる。
弾性を有する制動部材５は正面から見て略Ｃ字状に形成された制動部５ａと一端のＬ字状の固定部５ｂと他端の掛止部５ｃで形成されている。
更に、制動部材５の制動部５ａの断面形状は、図２、図３のように、溝からなる装着部１ｄに嵌まった一辺５ｄと一辺５ｄから起立した円弧部５ｅと円弧部５ｅから他方に延びた他辺５ｆが一体で内側に空所Ａを断面略Ｕ字形に形成し、空所Ａは移動部材６の圧接時に円弧部５ｅが内側への弾性変形を許容する空間部としている。
一辺５ｄは溝からなる装着部１ｄに嵌めて接着してもよい。
固定部５ｂにはビス１８の挿入孔が形成されている。
略Ｃ字状に形成された弾性を有する制動部材５の制動部５ａが装着部１ｄに嵌められて一端の固定部５ｂがビス１８で固定部１ｅに取り付け固定されると共に、他端の掛止部５ｃの突片５ｇが掛止部１ｆに掛け止めされ、蓋板２がリ−ル本体１に取り付けられて蓋板２の突片２ｃで制動部材５の突片５ｇを係止して抜け止めされる。
図１０で制動部材５が装着固定された領域Ａ１を制動範囲、領域Ａ２を非制動範囲、領域Ａ３をベ−ル復帰範囲とする。
略Ｃ字状に形成された弾性を有する制動部材５の制動部５ａの両端は、前記以外の構造でリ−ル本体１の前部に取り付けてもよい。
【００１２】
ロ−タ４は中心筒部４ａで回転軸筒１４に取り付けられ、筒部４ａと前壁４ｂと大径の筒部４ｃと大径の筒部４ｃの基部の外周から前方に向けて突出された一対の支持ア−ム４ｄ、４ｅとで形成されて支持ア−ム４ｄの前部に一方の支持部材１９がビス２０で止められ、支持ア−ム４ｅの前部に他方の支持部材２１がビス２２で止められて図５、図６の釣糸巻き取り位置と図７、図８の釣糸放出位置に反転自在に軸承されている。
一方の支持部材１９には釣糸案内部２３（ラインローラを支持するスライダー）が取り付けられている。
他方の支持部材２１と釣糸案内部２３の間にベ−ル２４が取り付けられている。
支持部材１９と支持部材２１は、ベール２４が装着されるベール支持部材１９とベール支持部材２１として機能する。
【００１３】
支持ア−ム４ｄの内部にはト−ションバネ２５が収容されている。
ト−ションバネ２５は、一端が支持部材１９の内側に形成した穴１９ａに挿入され、他端が支持ア−ム４ｄの底部の穴に挿入されて、支持部材１９を公知のように釣糸巻き取り位置と釣糸放出位置に振分け付勢している。
支持ア−ム４ｅの内部には移動部材６が収容されている。
移動部材６は、一方の端部６ａが支持部材２１の内側に形成された公知の円弧状長孔２１ａに挿入され、他方の端部６ｃが支持ア−ム４ｅの底部の長孔４ｆに挿入されて長孔４ｆからリ−ル本体１の装着部１ｄ側に突出されている。
長孔４ｆから突出された移動部材６の端部６ｃは、移動部材６が支持ア−ム４ｅの中を後退（釣糸放出位置）された時、復帰用カム２ｂと制動部材５の制動部５ａに臨まされている。
スプ−ル１６は前側鍔部１６ａと釣糸２６が巻回される釣糸巻回胴部１６ｂと筒部１６ｃを備えた後側鍔部１６ｄとで形成されている。
【００１４】
前記魚釣用スピニングリ−ルの動作は、釣糸２６がスプ−ル１６に巻回される方向にハンドル１２が回転されると、駆動歯車３が回転されてピニオン１４ａを介して回転軸筒１４とロ−タ４が釣糸巻き取り方向に回転（正回転）される。
釣糸２６がスプ−ル１６に巻回される時は、一方の支持部材１９に設けられた釣糸案内部２３のロ−ラで釣糸が案内され、前後に往復動されるスプ−ル１６に平行に巻回される。
【００１５】
仕掛が投擲される時は、図７のように、ベ−ル２４が時計方向に起こされて一方の支持部材１９と他方の支持部材２１が釣糸放出位置に反転される。
一方の支持部材１９と他方の支持部材２１が釣糸放出位置に反転されて釣糸案内部２３が図９のようにリ−ル本体１の脚部１ｇ側の上方に引き上げられると、他方の支持部材２１は脚部１ｇと反対側の制動範囲の領域Ａ１に配置されるので、移動部材６は支持ア−ム４ｅの中を後退されて図１、図２の２点鎖線から実線のように端部６ｃが制動部材５の制動部５ａに当接される。
一方の支持部材１９と他方の支持部材２１が釣糸放出位置から釣糸巻き取り位置に反転される時は、ハンドル１２が回転されてロ−タ４が図１０、図１１で時計方向に回転されると、移動部材６の端部６ｃが制動部材５の制動部５ａを摺接移動しながら復帰用カム２ｂに衝接されて、移動部材６が支持ア−ム４ｅの中をスプ−ル１６側に前進し、トーションバネ２５の死点を越えて一方の支持部材１９と他方の支持部材２１が釣糸巻き取り位置に反転復帰される。
【００１６】
図１、図２、図１０、図１１のように、移動部材６の端部６ｃが制動部材５の制動部５ａに当接されていると、制動部５ａの円弧部５ｅが移動部材６の圧接で内側（径方向内方）へ凹むので、移動部材６が戻る方向に対する摩擦抵抗力が大きくなり、引っ掛かって容易に外れにくくなる。
従って、釣竿を勢い良く振り下ろして仕掛けを放出操作する際の勢いや不要なハンドル回転等の影響により、ロ−タ４の不要な回転が防止されて支持部材１９と支持部材２１が釣糸巻き取り位置に誤復帰してしまうことがない。
【００１７】
前記のように魚釣用スピニングリ−ルが構成されると、制動部材５に移動部材６の圧接時に内側への弾性変形を許容する空所Ａを形成したので、移動部材の食い込み、引っ掛かり具合いによる大きな摩擦抵抗力が得られ、釣竿を勢い良く振り下ろして仕掛けを放出操作する際の勢いや不要なハンドル回転等の影響により、ロ−タ４の不要な回転が防止されて支持部材１９と支持部材２１が釣糸巻き取り位置に誤復帰してしまうことがない。
以下の実施例２〜実施例６のように、空所の大きさ、形状、位置、数等を変更することにより、移動部材の食い込み、引っ掛かり具合いによる摩擦抵抗力の強弱調節や微調整が容易に行える。
従って、ロ−タ４の回転による自動反転復帰操作に与える影響度、釣法や魚釣用スピニングリールのサイズ別によるブレ−キ力、等を配慮したブレ−キ力の設定を幅広く容易に行える。
【実施例２】
【００１８】
図１２は第２実施例で、図１２は移動部材による押圧が解除された制動部材を示す要部拡大断面平面図である。
【００１９】
第２実施例では、リ−ル本体１の筒部１ａに周方向の溝からなる装着部１ｄが形成され、装着部１ｄの中に制動部材５１が嵌められている。
制動部５ａの断面形状は、溝からなる装着部１ｄに嵌まった一辺５ｈと一辺５ｈから起立した円弧部５ｅと一辺５ｈから起立した起立部５ｉが一体で円弧部５ｅ側に開口し、内側に空所Ｂを逆さ断面略Ｕ字形に形成し、空所Ｂは移動部材６の圧接時に円弧部５ｅが内側への弾性変形を許容する空間部としている。
一辺５ｈと起立部５ｉは溝からなる装着部１ｄに嵌めて接着してもよい。
他の構成は、前記第１実施例と同様であるため、それらの説明は省略する。
【実施例３】
【００２０】
図１３は第３実施例で、図１３は移動部材による押圧が解除された制動部材を示す要部拡大断面平面図である。
【００２１】
第３実施例では、リ−ル本体１の筒部１ａに周方向の溝からなる装着部１ｄが形成され、装着部１ｄの中に制動部材５２が嵌められている。
制動部５ａの断面形状は、溝からなる装着部１ｄに嵌まった一辺５ｄと一辺５ｄから起立した円弧部５ｅと円弧部５ｅから他方に延びた他辺５ｊと円弧部５ｅの高さの中間から他方に延びた中辺５ｋが一体で内側に空所Ｃを断面略Ｅ字形に形成し、空所Ｃは移動部材６の圧接時に円弧部５ｅが内側への弾性変形を許容する空間部としている。
一辺５ｄは溝からなる装着部１ｄに嵌めて接着してもよい。
他の構成は、前記第１実施例と同様であるため、それらの説明は省略する。
【実施例４】
【００２２】
図１４は第４実施例で、図１４は移動部材による押圧が解除された制動部材を示す要部拡大断面平面図である。
【００２３】
第４実施例では、リ−ル本体１の筒部１ａに周方向の溝からなる装着部１ｄが形成され、装着部１ｄの中に制動部材５３が嵌められている。
制動部５ａの断面形状は、溝からなる装着部１ｄに嵌まった一辺５ｄと一辺５ｄから起立した円弧部５ｅと円弧部５ｅから他方に延びた他辺５ｊと他辺５ｊの先端肉厚部５ｍが一体で内側に空所Ｄを断面略Ｃ字形に形成し、空所Ｄは移動部材６の圧接時に円弧部５ｅが内側への弾性変形を許容する空間部としている。
一辺５ｄは溝からなる装着部１ｄに嵌めて接着してもよい。
他の構成は、前記第１実施例と同様であるため、それらの説明は省略する。
【実施例５】
【００２４】
図１５は第５実施例で、図１５は移動部材による押圧が解除された制動部材を示す要部拡大断面平面図である。
【００２５】
第５実施例では、リ−ル本体１の筒部１ａに周方向の溝からなる装着部１ｄが形成され、装着部１ｄの中に制動部材５４が嵌められている。
制動部５ａの断面形状は、起立部５ｎの先に円弧部５ｅが形成され、円弧部５ｅから他方に他辺５ｏが延びてその先に屈曲部５ｐが一体に形成されて内側に空所Ｅを断面略Ｃ字形に形成し、空所Ｅは移動部材６の圧接時に円弧部５ｅが内側への弾性変形を許容する空間部としている。
起立部５ｎと屈曲部５ｐは溝からなる装着部１ｄに嵌めて接着してもよい。
他の構成は、前記第１実施例と同様であるため、それらの説明は省略する。
【実施例６】
【００２６】
図１６は第６実施例で、図１６は移動部材による押圧が解除された制動部材を示す要部拡大断面平面図である。
【００２７】
第６実施例では、リ−ル本体１の筒部１ａに周方向の溝からなる装着部１ｄが形成され、装着部１ｄの中に制動部材５５が嵌められている。
制動部５ａの断面形状は、中心に透孔５ｑが穿設されて空所Ｆとなる中空断面形状に形成されている。
空所Ｆは、移動部材６の圧接時に一側円弧部５ｒが押されると内側への弾性変形を許容する空間部としている。
他の構成は、前記第１実施例と同様であるため、それらの説明は省略する。
【実施例７】
【００２８】
図１７は第７実施例で、図１７は駆動歯車の拡大断面平面図である。
【００２９】
駆動歯車３の内周に形成された雌ネジ部３ａは、駆動軸３′の外周に形成された雄ネジ部３ｂに図１７で上側から下方に向けて螺合され、駆動軸３′の外周に一体形成された鍔部３ｄに度当りされてナット３ｎで一体化されている。
他の構成は、前記第１実施例と同様であるため、それらの説明は省略する。
【実施例８】
【００３０】
図１８は第８実施例で、図１８は駆動歯車の拡大断面平面図である。
【００３１】
駆動歯車３の内周に形成された雌ネジ孔３ｅに駆動軸３″の外周に形成された雄ネジ部３ｆが螺合され、駆動軸３″の外周に一体形成された鍔部３ｇに度当りされて一体化されている。
駆動歯車３には、駆動軸３ｈが一体的に形成されている。
他の構成は、前記第１実施例と同様であるため、それらの説明は省略する。
【産業上の利用可能性】
【００３２】
本発明は、前述した実施形態に限定されることなく、その要旨を逸脱しない範囲で種々変形実施が可能である。
【図面の簡単な説明】
【００３３】
【図１】第１実施例で、制動部材が移動部材で押圧された魚釣用スピニングリ−ルの要部断面平面図である。
【図２】同図１の要部拡大断面平面図である。
【図３】同移動部材による押圧が解除された制動部材を示す要部拡大断面平面図である。
【図４】同駆動歯車の拡大断面平面図である。
【図５】同一方の支持部材が上側で釣糸巻き取り位置の平面図である。
【図６】同他方の支持部材が上側で釣糸巻き取り位置の平面図である。
【図７】同一方の支持部材が上側で釣糸放出位置の平面図である。
【図８】同他方の支持部材が上側で釣糸放出位置の平面図である。
【図９】同支持部材が釣糸放出位置の魚釣用スピニングリ−ルの正面図である。
【図１０】同ロ−タが図９の位置のリ−ル本体の要部断面正面図である。
【図１１】同図１０の要部拡大正面図である。
【図１２】第２実施例で、移動部材による押圧が解除された制動部材を示す要部拡大断面平面図である。
【図１３】第３実施例で、移動部材による押圧が解除された制動部材を示す要部拡大断面平面図である。
【図１４】第４実施例で、移動部材による押圧が解除された制動部材を示す要部拡大断面平面図である。
【図１５】第５実施例で、移動部材による押圧が解除された制動部材を示す要部拡大断面平面図である。
【図１６】第６実施例で、移動部材による押圧が解除された制動部材を示す要部拡大断面平面図である。
【図１７】第７実施例で、駆動歯車の拡大断面平面図である。
【図１８】第８実施例で、駆動歯車の拡大断面平面図である。
【符号の説明】
【００３４】
１  リ−ル本体
４  ロ−タ
５、５１、５２、５３、５４、５５  制動部材
６  移動部材
６ｃ  端部
１２  ハンドル
１９、２１  支持部材
２３  釣糸案内部
Ａ、Ｂ、Ｃ、Ｄ、Ｅ、Ｆ  空所
【図１】
2008072972.tif 000003
【図２】
2008072972.tif 000004
【図３】
2008072972.tif 000005
【図４】
2008072972.tif 000006
【図５】
2008072972.tif 000007
【図６】
2008072972.tif 000008
【図７】
2008072972.tif 000009
【図８】
2008072972.tif 000010
【図９】
2008072972.tif 000011
【図１０】
2008072972.tif 000012
【図１１】
2008072972.tif 000013
【図１２】
2008072972.tif 000014
【図１３】
2008072972.tif 000015
【図１４】
2008072972.tif 000016
【図１５】
2008072972.tif 000017
【図１６】
2008072972.tif 000018
【図１７】
2008072972.tif 000019
【図１８】
2008072972.tif 000020